【手続補正書】
【提出日】平成22年11月18日(2010.11.18)
【手続補正１】
【補正対象書類名】明細書
【補正対象項目名】００８０
【補正方法】変更
【補正の内容】
【００８０】
図１３Ａ、１３Ｃおよび１３Ｅを参照すると、図７Ａに示されているのと同様に、リーダ／ライタ装置３０２、３０４および３０６の各々のデータ生成部３２２は、制御部３１０から受け取ったＲＦ  ＩＤタグに対するタグＩＤ要求コマンドを含むデータを生成しそれを所定の符号化方式に従って符号化して、符号化された暗号データを生成する。そのデータには、システムＩＤに加えて、リーダ／ライタ装置３０２、３０４および３０６の中の対応する装置のＩＤが含まれていてもよい。送信部３３０は、送信処理４２の連続する各タイムスロットにおいて、そのコマンドを含むＲＦ信号を充分短い間隔で繰り返し送信する。
【手続補正２】
【補正対象書類名】明細書
【補正対象項目名】００８１
【補正方法】変更
【補正の内容】
【００８１】
図１３Ｇを参照すると、アクティブＲＦ ＩＤタグ２０４において、受信部２５０およびキャリア判定部２４６は、ウェイクアップ部２７０のウェイクアップ信号に従って、例えば９秒といった一定の長い周期で、例えば３つのような使用する異なる受信周波数（ｆ１１、ｆ１２、ｆ１３）の数の倍数の数の例えば１秒といった短い周期の例えば約１ｍｓ〜１０ｍｓの所定の持続時間で発生するキャリア・センス５０および５２のタイミングで制御部２１０によってイネーブル（活動化、enable）される。それによって、受信部２５０は応答リスト２１５を参照して順次受信周波数ｆ１１、ｆ１２およびｆ１３で受信待ち状態になり、キャリア判定部２４６は受信部２５０からの受信ＲＦ信号キャリア電力の強度を表すデータに従って受信キャリアの有無の判定を行う。ＲＦ ＩＤタグ２０４がリーダ／ライタ装置３０２に接近していないときは、キャリア判定部２４６はキャリアを検知せず（ＮＤ）、キャリアが存在しないと判定する。この場合、キャリア・センス５０の後の期間５１において、ＲＦ ＩＤタグ２０４は休止モードに入って、制御部２１０およびウェイクアップ部２７０だけがイネーブルまたはパワー・オン（付勢）されており、その他の構成要素２１４〜２５０はディセーブル（非活動化、disable）またはパワー・ダウン（消勢）されている。休止期間５１の時間長は、キャリア・センス期間５０の終了時点と次のキャリア・センス期間５０または５２の開始時点との間の時間長より短くてもよい。
【手続補正３】
【補正対象書類名】明細書
【補正対象項目名】００８３
【補正方法】変更
【補正の内容】
【００８３】
周波数ｆ１１のキャリアが存在するという判定に応答して、図７Ｃの場合と同様に、受信部２５０およびデータ復号部２４０は直後の受信処理５４のタイミングで例えば１００ｍｓといった所定の持続時間においてイネーブルされ、受信部２５０はそのＲＦ信号を受信し復調してコマンドを含む符号化データを生成する。データ復号部２４２は、応答リスト２１５を参照して、応答リスト２１５における受信周波数ｆ１ｉ（例えば、３１５．０ＭＨｚ）に対応するシステムＩＤに対する受信および応答動作の状態がオンである場合は、受信周波数ｆ１ｉに従って応答リスト２１５から対応する暗号鍵／復号鍵Ｋｅ（例えば、９Ｂ４５Ｃ８３Ｄ）を取り出し、そのデータを所定の符号化方式に従って復号し暗号データを所定の暗号方式に従って暗号鍵／復号鍵Ｋｅを用いて解読してコマンドを取り出して制御部２１０に供給する。そのコマンドに応答して、制御部２１０は、そのコマンドに含まれている時刻ＴおよびシステムＩＤを用いてリーダ／ライタ装置３０４を認証する。その認証に、要求信号に含まれていたリーダ／ライタ装置３０２、３０４および３０６のＩＤをさらに用いてもよい。但し、応答リスト２１５における受信周波数ｆ１ｉに対応するシステムＩＤに対する応答動作の状態がオフである場合は、データ復号部２４２は、データの復号を行わずに、動作を停止し、認証に失敗する。
【手続補正４】
【補正対象書類名】明細書
【補正対象項目名】００８４
【補正方法】変更
【補正の内容】
【００８４】
図７Ｃの場合と同様に、認証に成功した場合は、そのコマンドに応答して、制御部２１０は、所定期間内のランダムに選択された送信処理５６のタイミングで例えば１００ｍｓといった所定の持続時間において、データ生成部２２２および送信部２３０をイネーブルし、データ生成部２２２はメモリ２１４から取り出したタグＩＤ（ＩＤ＿ｔａｇ）を含むデータを生成して所定の符号化方式に従って符号化する。送信部２３０はそのタグＩＤを含む応答データでキャリアを変調して指定された送信周波数ｆ２１（例えば、３１６．０ＭＨｚ）のＲＦ信号を送信する。
【手続補正５】
【補正対象書類名】明細書
【補正対象項目名】００８５
【補正方法】変更
【補正の内容】
【００８５】
同様に、順次、キャリア・センス５２による周波数ｆ１２およびｆ１３のＲＦ信号のキャリアが存在するという判定に応答して、受信部２５０およびデータ復号部２４２は周波数ｆ１２およびｆ１３のＲＦ信号の受信、復号および暗号解読を行い、制御部２１０は認証を行い、データ生成部２２２および送信部２３０は応答データの暗号化、符号化および周波数ｆ２２およびｆ２３の応答信号の送信を行う。
【手続補正６】
【補正対象書類名】明細書
【補正対象項目名】００８６
【補正方法】変更
【補正の内容】
【００８６】
図１３Ｂ、１３Ｄおよび１３Ｆを参照すると、リーダ／ライタ装置３０２、３０４および３０６の各々の受信部３５０は、図７Ｂの場合と同様に、常に受信待ち状態４６にあり、ＲＦ ＩＤタグ２０４が接近して周波数ｆ２１、ｆ２２またはｆ２３のＲＦ信号を受信したときに、受信処理４８のタイミングにおいて受信ＲＦ信号を復調して符号化された暗号データを生成し、データ復号部３４２は符号化された暗号データを所定の符号化方式に従って復号し、その復号された暗号データを、所定の暗号方式に従って暗号鍵／復号鍵Ｋｅを用いて解読してタグＩＤを含む応答データを再生し、その再生された応答を制御部３１０に供給する。その受信再生された応答に応答して、制御部３１０は、その応答に含まれている時刻ＴおよびシステムＩＤを用いてＲＦ ＩＤタグ２０４を認証し、そのタグＩＤをホスト・コンピュータに供給する。制御部３１０は、そのタグＩＤをホスト・コンピュータに供給する。ホスト・コンピュータは、タグＩＤを処理して、商品の流通または人を監視し管理するのに用いる。
【手続補正７】
【補正対象書類名】明細書
【補正対象項目名】００９５
【補正方法】変更
【補正の内容】
【００９５】
リーダ／ライタ装置３０２、３０４、３０６および３９１〜３９６の各々の送信部３３０は、図１３Ａ、１３Ｃおよび１３Ｅと同様に、連続する各タイムスロットにおいて、コマンドを含むＲＦ信号を充分短い間隔で繰り返し送信する。
【手続補正８】
【補正対象書類名】明細書
【補正対象項目名】００９８
【補正方法】変更
【補正の内容】
【００９８】
周波数ｆ１１、ｆ１４およびｆ１７のキャリアが存在するという判定に応答して、ＩＤタグ部７０２、７０４および７０６（受信部２５０およびデータ復号部２４０）は直後の受信処理５４のタイミングでそのＲＦ信号を受信し復調してコマンドを含む符号化データを生成し、応答リスト２１５を参照して、受信周波数ｆ１１、ｆ１４およびｆ１７に従って応答リスト２１５から対応する暗号鍵／復号鍵Ｋｅを取り出し、そのデータを所定の符号化方式に従って復号し暗号データを所定の暗号方式に従って暗号鍵／復号鍵Ｋｅを用いて解読してコマンドを取り出して制御部２１０に供給する。それぞれのコマンドに応答して、ＩＤタグ部７０２、７０４および７０６（制御部２１０）は、それぞれのコマンドに含まれている時刻ＴおよびシステムＩＤを用いてリーダ／ライタ装置３０２、３９１等を認証する。
【手続補正９】
【補正対象書類名】明細書
【補正対象項目名】００９９
【補正方法】変更
【補正の内容】
【００９９】
認証に成功した場合は、そのコマンドに応答して、ＩＤタグ部７０２、７０４および７０６（データ生成部２２２および送信部２３０）は、所定期間内のランダムに選択された送信処理５６のタイミングで所定の持続時間において、メモリ２１４から取り出したタグＩＤ（ＩＤ＿ｔａｇ）を含むデータを生成して所定の符号化方式に従って符号化し、そのタグＩＤを含む応答データでキャリアを変調して指定された送信周波数ｆ２１、ｆ２４およびｆ２７のＲＦ信号を並行して送信する。
【手続補正１０】
【補正対象書類名】明細書
【補正対象項目名】０１００
【補正方法】変更
【補正の内容】
【０１００】
次いで、ＲＦ ＩＤタグ２０６のＩＤタグ部７０２、７０４および７０６（受信部２５０）が周波数ｆ１２、ｆ１５およびｆ１８のＲＦ信号を同時に受信したときに、キャリア・センス５２のタイミングでＩＤタグ部７０２、７０４および７０６（キャリア判定部２４６）は周波数ｆ１２、ｆ１５およびｆ１８のＲＦ信号のキャリアを検知し（ＤＴ）、ぞれぞれキャリアが存在すると判定する。次いで、同様に、ＩＤタグ部７０２、７０４および７０６（受信部２５０、データ復号部２４２、制御部２１０、データ生成部２２２および送信部２３０）は受信、復号および暗号解読を行い、認証を行い、応答データの暗号化、符号化および周波数ｆ２２、ｆ２４およびｆ２８の応答信号の並行送信を行う。
【手続補正１１】
【補正対象書類名】明細書
【補正対象項目名】０１０１
【補正方法】変更
【補正の内容】
【０１０１】
次いで、ＲＦ ＩＤタグ２０６のＩＤタグ部７０２、７０４および７０６（受信部２５０）が周波数ｆ１３、ｆ１６およびｆ１９のＲＦ信号を同時に受信したときに、キャリア・センス５２のタイミングでＩＤタグ部７０２、７０４および７０６（キャリア判定部２４６）は周波数ｆ１３、ｆ１６およびｆ１９のＲＦ信号のキャリアを検知し（ＤＴ）、キャリアが存在すると判定する。次いで、同様に、ＩＤタグ部７０２、７０４および７０６（受信部２５０、データ復号部２４０、制御部２１０、データ生成部２２２および送信部２３０）は受信、復号および暗号解読を行い、認証を行い、応答データの暗号化、符号化および周波数ｆ２３、ｆ２６およびｆ２９の応答信号の並行送信を行う。
【手続補正１２】
【補正対象書類名】明細書
【補正対象項目名】０１０２
【補正方法】変更
【補正の内容】
【０１０２】
図１７Ａ〜１７Ｆを参照すると、リーダ／ライタ装置３０２、３０４、３０６および３９１〜３９６の各々の受信部３５０は、常に受信待ち状態４６にあり、ＲＦ ＩＤタグ２０６が接近して周波数ｆ２１〜ｆ２９のＲＦ信号を受信したときに、受信処理４８のタイミングにおいて受信ＲＦ信号を復調して符号化された暗号データを生成し、データ復号部３４２は符号化された暗号データを所定の符号化方式に従って復号し、その復号された暗号データを、所定の暗号方式に従って暗号鍵／復号鍵Ｋｅを用いて解読してタグＩＤを含む応答データを再生し、その再生された応答を制御部３１０に供給する。
【手続補正１３】
【補正対象書類名】明細書
【補正対象項目名】０１１０
【補正方法】変更
【補正の内容】
【０１１０】
ステップ８０４において、制御部７１２は、受信したタグＩＤ要求信号の送信元のリーダ／ライタ装置３０２または３９２のＩＤが、条件リスト７１５中の条件リーダ／ライタ装置（Ｒ／Ｗ）１に指定されており（例えば、Ｒ／Ｗ−Ａ、Ｒ／Ｗ−Ｃ）かつ無条件応答先のリーダ／ライタ装置（Ｒ／Ｗ）に指定されているかどうかを判定する。例えばリーダ／ライタ装置３０２のＩＤがその条件を満たすと判定された場合は、ステップ８０６において、制御部７１２は、条件リーダ／ライタ装置（Ｒ／Ｗ）１としてのリーダ／ライタ装置３０２に応答を送信する。その条件を満たさないと判定された場合は、手順はステップ８０８に進む。図２０の例では無条件応答先の指定はない。
【手続補正１４】
【補正対象書類名】明細書
【補正対象項目名】０１１８
【補正方法】変更
【補正の内容】
【０１１８】
ステップ８３６において、制御部７１２は、タイマ７１３はＸ秒の経過を示しているかどうかを判定する。Ｘ秒が経過していないと判定された場合は、ステップ８３８において次の応答の受信タイミングまで待機する。その後、手順はステップ８３２に戻る。Ｘ秒が経過したと判定された場合は、ステップ８４０において、制御部７１２はタイマ７１３の動作を停止する。その後、手順はステップ８２２に戻る。
【手続補正１５】
【補正対象書類名】図面
【補正対象項目名】図１３
【補正方法】変更
【補正の内容】
【図１３】
2007072746.tif 000001